(57)【要約】【課題】バスバの組付けの容易性を確保しつつ、電力変換装置を小型化する。【解決手段】パワーモジュールを収容すると共に位置決め突起２ａが形成された筐体２と、上記位置決め突起２ａが挿入されると共にバスバ４を保持するバスバ保持部３とを備え、上記バスバ保持部３には、側壁部３ａと、上記側壁部３ａから突出して形成された張出部３ｃと、上記位置決め突起２ａが挿入される貫通孔３ｅとが形成され、上記張出部３ｃは、上記貫通孔３ｅが形成されると共に、上記位置決め突起２ａの挿入方向から見て上記貫通孔３ｅの一部が上記側壁部３ａにかかるように配置され、上記側壁部３ａには、上記貫通孔３ｅに通じると共に上記位置決め突起２ａが収容される収容凹部が形成される。【選択図】図１
2018057154.tif 000002
【特許請求の範囲】
【請求項１】
パワーモジュールを収容すると共に位置決め突起が形成された筐体と、
前記位置決め突起が挿入されると共にバスバを保持するバスバ保持部とを備え、
前記バスバ保持部には、側壁部と、前記側壁部から突出して形成された張出部と、前記位置決め突起が挿入される貫通孔とが形成され、
前記張出部は、前記貫通孔が形成されると共に、前記位置決め突起の挿入方向から見て前記貫通孔の一部が前記側壁部にかかるように配置され、
前記側壁部には、前記貫通孔に通じると共に前記位置決め突起が収容される収容凹部が形成される
ことを特徴とする電力変換装置。
【請求項２】
前記位置決め突起は、前記貫通孔から露出する部位に切欠きが形成されていることを特徴とする請求項１記載の電力変換装置。
【請求項３】
前記貫通孔は、前記位置決め突起の挿入方向から見て、中心が前記側壁部と重なるように形成されることを特徴とする請求項１または２記載の電力変換装置。
【請求項４】
前記貫通孔は、複数設けられ、
前記貫通孔のうち第１貫通孔は、前記位置決め突起挿入方向から見て前記位置決め突起の形状に沿う形状とされ、
前記第１貫通孔以外の前記貫通孔は、前記位置決め突起の挿入方向から見て前記位置決め突起との間に一方向において間隙を形成する形状とされる
ことを特徴とする請求項１〜３のいずれか一項に記載の電力変換装置。
【発明の詳細な説明】
【技術分野】
【０００１】
本発明は、電力変換装置に関するものである。
【背景技術】
【０００２】
電気自動車等においては、搭載されたモータを駆動させるため、バッテリの出力を制御する電力変換装置が設けられる。例えば、特許文献１には、自動車等に載せられる電力変換装置が開示されている。この電力変換装置は、筐体に内設される半導体モジュールと、外部の直流電源端子に接続するためのバスバーとを備えている。上記バスバーは、位置決め孔が形成されており、筐体の底部に形成された突起が位置決め孔に差し込まれることにより筐体に対して位置決めされている。
【先行技術文献】
【特許文献】
【０００３】
【特許文献１】特開２００７−３３６７６１号公報
【発明の概要】
【発明が解決しようとする課題】
【０００４】
電力変換装置が備えるバスバの取付作業において、筐体の底部に形成された突起は、該底部からの突出量が大きいほど、バスバの位置決め孔に挿入しやすく、作業性が高くなると考えられる。しかしながら、近年においては、自動車の小型化及び高機能化によって、自動車内における電力変換装置の設置可能なスペースが減少しつつある。したがって、筐体内のスペースに限りがあり、突出量の大きい位置決め用突起を筐体に形成することが難しい。
【０００５】
本発明は、上述する問題点に鑑みてなされたもので、バスバの組付けの容易性を確保しつつ、電力変換装置を小型化することを目的とする。
【課題を解決するための手段】
【０００６】
上記目的を達成するために、本発明では、第１の手段として、パワーモジュールを収容すると共に位置決め突起が形成された筐体と、前記位置決め突起が挿入されると共にバスバを保持するバスバ保持部とを備え、前記バスバ保持部には、側壁部と、前記側壁部から突出して形成された張出部と、前記位置決め突起が挿入される貫通孔とが形成され、前記張出部は、前記貫通孔が形成されると共に、前記位置決め突起の挿入方向から見て前記貫通孔の一部が前記側壁部にかかるように配置され、前記側壁部には、前記貫通孔に通じると共に前記位置決め突起が収容される収容凹部が形成される、という構成を採用する。
【０００７】
第２の手段として、上記第１の手段において、前記位置決め突起は、前記貫通孔から露出する部位に切欠きが形成されているという構成を採用する。
【０００８】
第３の手段として、上記第１または第２の手段において、前記貫通孔は、前記位置決め突起の挿入方向から見て、中心が前記側壁部と重なるように形成されるという構成を採用する。
【０００９】
第４の手段として、上記第１〜第３のいずれかの手段において、上記貫通孔は、複数設けられ、上記貫通孔のうち第１貫通孔は、上記位置決め突起挿入方向から見て上記位置決め突起の形状に沿う形状とされ上記第１貫通孔以外の上記貫通孔は、上記位置決め突起の挿入方向から見て上記位置決め突起との間に一方向において間隙を形成する形状とされる、という構成を採用する。
【発明の効果】
【００１０】
本発明によれば、位置決め突起は、貫通孔に挿入され、端部の一部が収容凹部に収容される。これにより、位置決め突起を貫通孔に挿入した際に、位置決め突起のバスバ保持部からの突出量を小さくすることができる。また、貫通孔の一部が張出部に形成されることにより、組立時において作業者は、貫通孔を視認した状態で位置決め突起を貫通孔に挿入することができ、組立作業の容易性を損なうことがない。したがって、バスバの組付けの容易性を確保しつつ、電力変換装置を小型化することができる。
【図面の簡単な説明】
【００１１】
【図１】本発明の一実施形態に係る電力変換装置の一部を示す斜視図である。
【図２】本発明の一実施形態に係る電力変換装置のバスバ保持部を示す斜視図である。
【図３】本発明の一実施形態に係る電力変換装置のバスバ保持部の上面図である。
【図４】本発明の一実施形態に係る電力変換装置のバスバ保持部及び位置決め突起のＡ−Ａ’断面図である。
【発明を実施するための形態】
【００１２】
以下、図面を参照して、本発明に係る電力変換装置の一実施形態について説明する。なお、以下の図面において、各部材を認識可能な大きさとするために、各部材の縮尺を適宜変更している。図１は、本実施形態に係る電力変換装置１の一部を示す斜視図である。
【００１３】
本実施形態に係る電力変換装置１は、筐体２と、バスバ保持部３と、バスバ４とを備えている。電力変換装置１は、筐体２、バスバ保持部３及びバスバ４の他に、不図示のパワー半導体モジュール及びリアクトル等を備えており、バッテリから供給される直流電源を昇圧すると共に交流へと変換する装置である。
【００１４】
筐体２は、側壁と底部とからなる容器状とされており、リアクトルやパワー半導体モジュール（パワーモジュール）等の部品を収容する。この筐体２の内部底面には、位置決め突起２ａが２か所に形成されている。この２つの位置決め突起２ａは、略円柱形とされ、筐体２の側壁近傍に設けられている。２つの位置決め突起２ａは、図１及び図４に示すように、先端部において軸芯（中心）を通る半円柱状となるように軸芯に沿って切欠かれ、該位置決め突起２ａの軸芯に沿う方向から見て軸芯と重なる平面状の切欠き面２ｂを形成している。これにより、位置決め突起２ａは、半円柱状の先端部全体が後述する第１収容凹部３ｆ及び第２収容凹部３ｈに収容される。また、筐体２には、不図示のカバーがリアクトル等を覆うように被せられる。
【００１５】
図２は、本実施形態に係る電力変換装置１のバスバ保持部３を示す斜視図である。また、図３は、本実施形態に係る電力変換装置１のバスバ保持部３の上面図である。また、図４は、本実施形態に係る電力変換装置１のバスバ保持部３及び位置決め突起２ａの図３におけるＡ−Ａ’断面図である。
【００１６】
バスバ保持部３は、バスバ４を収容すると共に筐体２の底面に固定される部材であり、平板状の第１側壁部３ａと第２側壁部３ｂとを有している。第１側壁部３ａと第２側壁部３ｂとは、互いに平行に配置され、間に形成される間隙にバスバ４が挿入される。このバスバ保持部３には、第１張出部３ｃ及び第２張出部３ｄが第１側壁部３ａの下端から垂直に突出して形成されている。この第１張出部３ｃと第１側壁部３ａとにかかる位置に円形の第１位置決め穴３ｅ（第１貫通孔）が形成されている。
【００１７】
第１位置決め穴３ｅは、中心が第１側壁部３ａと第１張出部３ｃとの接続位置と重なるように形成されている。この第１位置決め穴３ｅは、位置決め突起２ａの挿入方向から見て円形とされ、位置決め突起２ａの周面に沿う形状とされている。また、第１側壁部３ａには、第１位置決め穴３ｅと接続する略半円柱状の第１収容凹部３ｆが形成されている。また、第２張出部３ｄと第１側壁部３ａとにかかる位置に、長円状の第２位置決め穴３ｇ（第２貫通孔）が形成されている。この第２位置決め穴３ｇは、位置決め突起２ａ挿入方向から見て第１側壁部３ａに沿う方向（一方向）において長い長円状とされる。この第２位置決め穴３ｇは、位置決め突起２ａが挿入された際に、位置決め突起２ａとの間に、第１側壁部３ａに沿う方向において間隙が形成される。また、第１側壁部３ａには、第２位置決め穴３ｇと接続する略半円柱状の第２収容凹部３ｈが形成されている。
【００１８】
バスバ４は、帯状の金属部材であり、第１側壁部３ａと第２側壁部３ｂとの間に配設されて固定されている。また、このバスバ４の端部は、折曲され、バスバ保持部３より露出している。このようなバスバ４は、一端が半導体モジュール等と接続されており、他端がバッテリの外部端子と接続される。
【００１９】
本実施形態によれば、位置決め突起２ａは、第１位置決め穴３ｅ及び第２位置決め穴３ｇに挿入され、端部の一部が第１収容凹部３ｆ及び第２収容凹部３ｈに収容される。これにより、位置決め突起２ａを第１位置決め穴３ｅ及び第２位置決め穴３ｇに挿入した際に、位置決め突起２ａのバスバ保持部３からの突出量を小さくすることができる。すなわち、第１側壁部３ａから第１張出部３ｃ及び第２張出部３ｄの張出量を抑えることができ、バスバ保持部３のサイズが小さくなるため、筐体２の全体のサイズを小さくすることができる。また、第１張出部３ｃ及び第２張出部３ｄに第１位置決め穴３ｅ及び第２位置決め穴３ｇが形成されており、位置決め突起２ａと第１位置決め穴３ｅ及び第２位置決め穴３ｇとを視認した状態で取り付けることが可能であり、組付けの容易性を損なうことがない。
【００２０】
また、本実施形態によれば、位置決め突起２ａの先端部は、第１位置決め穴３ｅ及び第２位置決め穴３ｇから露出する部位が切欠かれている。位置決め突起２ａの先端部のみが切欠かれていることで、位置決め突起２ａの機能を保持しつつ、位置決め突起２ａのバスバ保持部３からの突出量をより小さくすることができる。このため、位置決め突起２ａ周辺のスペースを空けることができ、筐体２内において有効なスペースを拡大することができる。
【００２１】
また、本実施形態によれば、上記位置決め突起２ａは、先端部が切欠かれることによって半円柱状に形状設定され、位置決め突起２ａの軸芯と切欠き面２ｂとが重なるように設定されている。したがって、第１収容凹部３ｆ及び第２収容凹部３ｈに、位置決め突起２ａの先端部全体を収容することができ、位置決め突起２ａのバスバ保持部３からの突出量をさらに小さくすることができる。このため、位置決め突起２ａ周辺のスペースを空けることができ、筐体２内において有効なスペースをさらに拡大することができる。
【００２２】
さらに、本実施形態によれば、第１位置決め穴３ｅが円形とされ、第２位置決め穴３ｇが第１側壁部３ａに沿う方向に長い長円状とされている。これにより、第１位置決め穴３ｅに位置決め突起２ａが挿入されることによりバスバ保持部３の位置決めをすると共に、第２位置決め穴３ｇに位置決め突起２ａが挿入されることで、バスバ保持部３の第１側壁部３ａに沿う方向における位置調整を行うことができる。
【００２３】
以上、添付図面を参照しながら本発明の好適な実施形態について説明したが、本発明は上記実施形態に限定されないことは言うまでもない。上述した実施形態において示した各構成部材の諸形状や組み合わせなどは一例であって、本発明の趣旨から逸脱しない範囲において設計要求等に基づき種々変更可能である。
【００２４】
上記実施形態においては、位置決め突起２ａは、先端部が切欠かれている構成を採用したが、本発明はこれに限定されない。位置決め突起２ａは、先端部が切欠かれていなくともよい。
【００２５】
また、上記実施形態においては、第２位置決め穴３ｇは、長円状とされたが、本発明はこれに限定されない。第２位置決め穴３ｇは、位置決め突起２ａの形状に沿った形状としてもよい。
【００２６】
また、上記実施形態においては、位置決め穴は、バスバ保持部３において２か所設けられる構成を採用したが、本発明はこれに限定されない。位置決め穴は、３か所以上設けられるものとしてもよい。この場合、第１位置決め穴３ｅ以外の位置決め穴は、第２位置決め穴３ｇと同様に、位置決め突起２ａの挿入方向から見て長円状とされる。
【符号の説明】
【００２７】
１……電力変換装置
２……筐体
２ａ……位置決め突起
２ｂ……切欠き面
３……バスバ保持部
３ａ……第１側壁部
３ｃ……第１張出部
３ｄ……第２張出部
３ｅ……第１位置決め穴
３ｆ……第１収容凹部
３ｇ……第２位置決め穴
３ｈ……第２収容凹部
４……バスバ
【図１】
2018057154.tif 000003
【図２】
2018057154.tif 000004
【図３】
2018057154.tif 000005
【図４】
2018057154.tif 000006